(57)【要約】      （修正有）【課題】ＬＥＤユニット又は回路基板に適用される光源接続モジュール及びコネクタを提供する。【解決手段】光源接続モジュールは、蓋体１２と、フレキシブルフラットケーブルと、第１の留め具１４と、第１の電極及び接続モジュール１８を備える。第１の電極は、一端が導体に電気的に接続され、他端が第２の電極１８６に接続される。接続モジュールは、基板１８４及び第２の電極を含む。基板の両側には、第１の留め具に対応する第２の留め具１８８が形成される。第２の電極は、その一端をＬＥＤユニット４２、４４又は回路基板に接続できるように、基板に設けられる。第１の留め具と第２の留め具との接合により、フレキシブルフラットケーブルが接続モジュールに固定され、導体は、第１の電極と第２の電極との接合を介してＬＥＤユニットに電気的に接続される。【選択図】図３
0003227745.tif 000002
【実用新案登録請求の範囲】
【請求項１】
ＬＥＤユニット又は回路基板に適用される光源接続モジュールであって、
蓋体と、
信号を伝送ための導体が含まれ、前記導体を露出する露出領域が形成されたフレキシブルフラットケーブルと、
前記フレキシブルフラットケーブルの前記露出領域に設けられた第１の留め具と、
一端が前記導体に電気的に接続された第１の電極と、
前記第１の留め具に接合され、基板及び第２の電極を有する接続モジュールと、
を備え、
前記基板の両側には、前記第１の留め具に対応する第２の留め具が形成され、
前記第２の電極は、その一端を前記ＬＥＤユニット又は前記回路基板に接続できるように、前記基板に設けられ、且つその他端が前記第１の電極の他端に接続され、
前記第１の留め具と前記第２の留め具との接合により、前記フレキシブルフラットケーブルが前記接続モジュールに固定され、前記導体は、前記第１の電極と前記第２の電極との接合を介して前記ＬＥＤユニットに電気的に接続されることを特徴とする光源接続モジュール。
【請求項２】
前記第１の留め具には、突起を有する弾性アームが形成され、
前記第２の留め具には、開口が形成され、
前記突起は前記開口を係合することで、前記第１の留め具を前記接続モジュールに固定することを特徴とする請求項１に記載の光源接続モジュール。
【請求項３】
前記第１の留め具には、突起を有する弾性アームが形成され、
前記蓋体には、開口が形成され、
前記突起は前記開口を係合することで、前記蓋体を前記接続モジュールに固定することを特徴とする請求項１に記載の光源接続モジュール。
【請求項４】
弾性アームを圧縮することで突起を開口から分離させ、
圧縮された前記弾性アームを解放することで前記突起が前記開口に係合されることを特徴とする請求項１に記載の光源接続モジュール。
【請求項５】
前記基板を前記ＬＥＤユニットに固定するために、前記基板にはパッキンが形成され、
又は、前記第２の留め具には、前記基板を前記ＬＥＤユニットに固定するためのパッキンが形成されることを特徴とする請求項１に記載の光源接続モジュール。
【請求項６】
前記第１の電極には、前記導体を挟持するためのクリップが形成されることを特徴とする請求項１に記載の光源接続モジュール。
【請求項７】
前記第１の電極及び前記導体は複数であり、
複数の前記第１の電極は互いに接続されて、複数の導体を短絡させることを特徴とする請求項１に記載の光源接続モジュール。
【請求項８】
前記接続モジュールに接続される第３の電極、を更に備え、
前記第３の電極は、一端が前記第２の電極に接続され、他端が前記回路基板に接続されることを特徴とする請求項１に記載の光源接続モジュール。
【請求項９】
前記第３の電極は、前記回路基板を固定するためのクリップを有することを特徴とする請求項８に記載の光源接続モジュール。
【請求項１０】
ＬＥＤユニットと、導体を有するフレキシブルフラットケーブル又は回路基板に適用される光源コネクタであって、
蓋体と、
前記フレキシブルフラットケーブルに設けられた第１の留め具と、
一端が前記導体に電気的に接続された第１の電極と、
前記第１の留め具に接合され、基板及び第２の電極を有する接続モジュールと、
を備え、
前記基板の両側には、前記第１の留め具に対応する第２の留め具が形成され、
前記第２の電極は、その一端を前記ＬＥＤユニット又は前記回路基板に接続できるように、前記基板に設けられ、且つその他端が前記第１の電極の他端に接続され、
前記第１の留め具と前記第２の留め具との接合により、前記フレキシブルフラットケーブルが前記接続モジュールに固定され、前記導体は、前記第１の電極と前記第２の電極との接合を介して前記ＬＥＤユニットに電気的に接続されることを特徴とする光源コネクタ。
【考案の詳細な説明】
【技術分野】
【０００１】
本考案は、コネクタの技術分野に関わり、特にＬＥＤ源に適用される光源接続モジュール及びコネクタに関するものである。
【背景技術】
【０００２】
従来、液晶表示パネルは、液晶層に加えて、主にＬＥＤ層（或いはバックライトプレートと呼ぶ）により構成される。液晶層は、画面を表示するために，
ＬＥＤ層を透過する必要がある。
【０００３】
従来の技術において、バックライト層は、複数組のＬＥＤダイオードモジュールにより構成され、当該複数組のＬＥＤダイオードは、液晶層の下に分布され、ＬＥＤダイオードにより生成した面光源によって液晶層に作用する。
【考案の概要】
【考案が解決しようとする課題】
【０００４】
しかしながら、複数組のＬＥＤダイオードモジュール間は、フラットケーブルを介して接続され、液晶表示パネルのサイズが異なるため、ＬＥＤダイオードモジュールは、サイズに合わせてカスタマイズする必要があり、よって、回路レイアウト設計には制限がある。さらに、ＬＥＤダイオードモジュールが破損した場合、グループ全体を交換する必要があるため、コストが高く、交換も困難である。
【０００５】
以上の問題に対して、本考案は、従来の技術における欠陥を解決するための光源接続モジュール及びコネクタを提供する。
【課題を解決するための手段】
【０００６】
本考案の第一の目的は、ＬＥＤユニットに適用される光源接続モジュールを提供し、フレキシブルフラットケーブルの任意の位置で容易に配置できる。
【０００７】
本考案の第二の目的は、前記光源接続モジュールにより、無制限の直列接続方式を介してサイズが異なるＬＥＤユニットに適用されることである。
【０００８】
本考案の第三の目的は、前記光源接続モジュールにより、組み立てとメンテナンスを便利にするために、蓋体が取り外し可能である。
【０００９】
本考案の第四の目的は、前記光源接続モジュールにより、接続ユニットは、フレキシブルフラットケーブルの末端、接続及び外接のところに設けられてもよい、接続のところの末端は、末端のところであり、外接のところは、外部の制御ユニット、電力ユニット又は端子を接続するためのところである。
【００１０】
本考案の第五の目的は、シングルエンド又はダブルエンドのＬＥＤユニット、又は外部の制御ユニット、電力ユニット又は端子を接続できる光源コネクタを提供する。
【００１１】
本考案の第六の目的は、光源コネクタを提供し、第１の留め具には、突起を有する弾性アームが形成され、第２の留め具には、開口が形成され、突起は当該開口を係合することで、第１の留め具を接続モジュールに固定する。
【００１２】
以上の目的及び他の目的を達成するために、本考案は、ＬＥＤユニット又は回路基板に適用される光源接続モジュールを提供する。前記光源接続モジュールは、蓋体と、フレキシブルフラットケーブルと、第１の留め具と、第１の電極及び接続モジュールを備える。前記フレキシブルフラットケーブルには、信号を伝送できる導体が含まれる。前記導体を露出させるために、前記フレキシブルフラットケーブルには露出領域が形成される。前記第１の留め具は、前記フレキシブルフラットケーブルの前記露出領域に設けられる。前記第１の電極の一端は前記導体に電気的に接続される。前記接続モジュールは前記第１の留め具に接合される。前記接続モジュールは、基板及び第２の電極を含む。前記基板の両側には、前記第１の留め具に対応する第２の留め具が形成される。前記第２の電極の一端を前記ＬＥＤユニット又は前記回路基板に接続できるように、前記第２の電極が前記基板に設けられる。前記第２の電極の他端は、前記第１の電極の他端に接続される。前記第１の留め具と前記第２の留め具との接合により、前記フレキシブルフラットケーブルが前記接続モジュールに固定され、前記導体は、前記第１の電極と前記第２の電極との接合を介して前記ＬＥＤユニットに電気的に接続される。
【００１３】
以上の目的及び他の目的を達成するために、本考案は、ＬＥＤユニットと、導体を有するフレキシブルフラットケーブル又は回路基板に適用される光源コネクタを提供する。光源接続モジュールは、蓋体と、第１の留め具と、第１の電極及び接続モジュールを備える。前記第１の留め具には、前記フレキシブルフラットケーブルが設けられる。前記第１の電極の一端は、前記導体に電気的に接続される。前記接続モジュールは、前記第１の留め具と接合される。前記接続モジュールは、基板及び第２の電極を含む。前記基板の両側には、前記第１の留め具に対応する第２の留め具が形成される。前記第２の電極の一端を前記ＬＥＤユニット又は前記回路基板に接続できるように、前記第２の電極が前記基板に設けられる。前記第２の電極の他端は、前記第１の電極の他端に接続される。前記第１の留め具と前記第２の留め具との接合により、前記フレキシブルフラットケーブルを前記接続モジュールに固定でき、前記導体は、前記第１の電極と前記第２の電極との接合を介して前記ＬＥＤユニットに電気的に接続される。
【００１４】
従来の技術と比較して、本考案の光源接続モジュールは、異なる接続ユニットを提供し、長さが異なるフレキシブルフラットケーブルに適用できて、更にサイズの変化に応じてバックライトモジュールの設計を行うことができる。また、本考案のコネクタは、フレキシブルフラットケーブルとＬＥＤユニット（例えば、ＬＥＤダイオードモジュール）とのモジュールブリッジを提供して、配置とメンテナンスを容易にすることができる。
【図面の簡単な説明】
【００１５】
【図１】図１は本考案の実施例にかかる光源接続モジュールの構造を示す図である。
【図２】図２は本考案の実施例にかかる光源コネクタの構造を示す図である。
【図３】図３（ａ）は本考案の図１にかかる光源コネクタの外部構造を示す図である。図３（ｂ）は本考案の図１にかかる光源コネクタの内部構造を示す図である。図３（ｃ）は本考案の図１にかかる光源コネクタの別の内部構造を示す図である。
【図４】図４（ａ）は本考案の図３（ｂ）にかかる光源コネクタが第１の電極に接続された構造を示す図である。図４（ｂ）は本考案の図３（ｃ）にかかる光源コネクタが第１の電極に接続された後の上面図である。
【図５】図５（ａ）は本考案にかかる光源コネクタの構造を示す図である。図５（ｂ）は本考案の図５（ａ）にかかる第１の電極の詳しい構造を示す図である。
【図６】図６（ａ）は本考案にかかる光源コネクタの構造を示す図である。図６（ｂ）は本考案の図６（ａ）にかかる光源コネクタが回路基板に接続された構造を示す図である。図６（ｃ）は本考案の図６（ａ）にかかる第１の電極が回路基板及び筐体に接続された構造を示す図である。
【図７】図７（ａ）は本考案の図６（ａ）にかかる第１の電極と、第２の電極及び第３の電極の構造を示す図である。図７（ｂ）は本考案の図７（ａ）にかかる第３の電極が回路基板に接続された構造を示す図である。
【考案を実施するための形態】
【００１６】
本考案の目的、特徴及び効果を十分に理解するために、後述の実施例及び図面に基づいて、本考案を説明する。
【００１７】
本考案において、「１つ」を使用して本明細書に記載されるユニット、デバイスを説明する。特に指摘しない限り、このような説明は、１つ、少なくとも１つを含むと理解され、かつ単数も同時に複数を含む。
【００１８】
本考案において、「含む」、「備える」、「有する」の用語又は他の類似用語は、非排他的なものをカバーすることを意図している。例えば、複数の要素を含むデバイス、構造、製品又は装置は、本明細書に記載された要素だけに限定されず。
【００１９】
図１は本考案の実施例にかかる光源接続モジュールの構造を示す図である。図１において、光源接続モジュールは、フレキシブルフラットケーブル２、第１の光源コネクタ１０、第２の光源コネクタ２０及び第３の光源コネクタ３０により構成される。前記フレキシブルフラットケーブル２の長さ及び各光源コネクタ１０、２０，３０の数は制限されず、ここでの数及び長さは説明しやすいために用いられる。また、前記各光源コネクタ１０、２０，３０間の前記フレキシブルフラットケーブル２は、連続的であってもよい、又は分離されてもよい。
【００２０】
図２は本考案の実施例にかかる光源コネクタの構造を示す図である。図２において、フレキシブルフラットケーブル２は、導体２２を含む。前記導体２２は、１つの信号（電力信号又は制御信号）をＬＥＤユニット４２，４４に伝送して、前記ＬＥＤユニット４２，４４を駆動できる。例えば、ＬＥＤユニット４２，４４は、ＬＥＤダイオード（Ｌｉｇｈｔ−ｅｍｉｔｔｉｎｇ  ｄｉｏｄｅ，ＬＥＤ）、冷陰極蛍光ランプ（Ｃｏｌｄ  ｃａｔｈｏｄｅ  ｆｌｕｏｒｅｓｃｅｎｔ  ｌａｍｐ，ＣＣＦＬ）などであってもよい。また、前記導体２２を露出させるために、前記フレキシブルフラットケーブル２には露出領域ＢＡが形成される。本実施例では、前記ＬＥＤユニット４２、４４はダブルエンドを例に説明するが、別の実施例では、前記ＬＥＤユニット４２、４４はダブルエンドからシングルエンドに変更されてもよい。
【００２１】
図１を参照して、光源コネクタ１０は、フレキシブルフラットフラットケーブル２を両辺の開口に通過するための両端出口のタイプである。光源コネクタ２０は、前記フレキシブルフラットケーブル２の末端に設けられたシングルエンドタイプ（又は末端タイプと呼ぶ）でる。光源コネクタ３０は、電源供給回路及びバックライトモジュールの駆動回路などの外部の回路基板８を接続するための外部接続タイプである。別の実施例では、光源コネクタ１４は、更に筐体６にロックされる。
【００２２】
図３（ａ）は本考案の図１にかかる光源コネクタの外部構造を示す図である。図３（ｂ）は本考案の図１にかかる光源コネクタの内部構造を示す図である。図３（ｃ）は本考案の図１にかかる光源コネクタの別の内部構造を示す図である。光源コネクタ１０は、蓋体１２と、第１の留め具１４と、第１の電極１６及び接続モジュール１８を備える。
【００２３】
図３（ａ）において、蓋体１２は第１の留め具１４と接合して、接続モジュール１８をその中に覆う。
【００２４】
図３（ｂ）において、接続モジュール１８は、パッキン１８２を介してＬＥＤユニット４２、４４に固定（例えば、はんだ付け）される。また、前記接続モジュール１８は、前記パッキン１８２に加えて、基板１８４及び第２の電極１８６を更に含む。前記第２の電極１８６は、前記基板１８４に設けられる。前記第２の電極１８６の一端１８６２は、ＬＥＤユニット４２、４４に電気的に接触される。また、前記接続モジュール１８の両側には、更に開口１８８２を有する第２の留め具１８８が形成される。本実施例では、前記第２の留め具１８８の形状はＵ字形状であり、Ｕ字状の溝は、後述の第１の留め具１４の一部を収容できる。また、前記パッキン１８２は前記Ｕ字状の溝から延びており、別の実施例では、前記基板１８４には前記パッキン１８２が形成されて、前記基板１８４を前記ＬＥＤユニット４２、４４に固定してもよい。ここで、前記第２の留め具１８８及び前記第２の電極１８６の数は四つを例に説明するが、別の実施例において、前記数は制限されなくてもよい。
【００２５】
図３（ｃ）において、第１の留め具１４は、接続モジュール１８と接合されて、フレキシブルフラットケーブル２の露出領域ＢＲを設定する。前記第１の留め具１４の両側には、突起１４４２を有する弾性アーム１４４が形成される。一般的な状態では、前記弾性アーム１４４は、外力を受けない場合には、変形せず、非圧縮状態となって、前記突起１４４２を開口１８８２に係合させる。別の実施例では、外力を受ける場合には、前記弾性アーム１４４は変形され、圧縮状態となって、前記突起１４４２を前記開口１８８２から分離させる。前記弾性アーム１４４の数は四つを例に説明するが、別の実施例において、前記数は制限されなくてもよい。
【００２６】
図４（ａ）は本考案の図３（ｂ）にかかる光源コネクタが第１の電極に接続された構造を示す図である。図４（ｂ）は本考案の図３（ｃ）にかかる光源コネクタが第１の電極に接続された後の上面図である。図４（ａ）及び図４（ｂ）において、第１の電極１６は、一端１６２が導体２２に電気的に接続され、他端１６４が第２の電極１８６の他端１８６４に電気的に接続される。本実施例において、前記第１の電極１６の一端１６２は、前記導体２２を挟持した複数のクリップを提供し、前記第１の電極１６の他端１６４は、前記第２の電極１８６の他端１８６４を挟持したクリップ１６４を提供する。
【００２７】
図５（ａ）は本考案にかかる光源コネクタの構造を示す図である。図５（ｂ）は本考案の図５（ａ）にかかる第１の電極の詳しい構造を示す図である。図５（ａ）では、光源コネクタ２０は、同時に前述した実施例の蓋体１２と、第１の留め具１４と、第１の電極１６及び接続モジュール１８も備え、ここで説明しない。
【００２８】
本実施例において、第１の電極１６と前述した部分との異なる点は、光源コネクタ２０がフレキシブルフラットケーブル２の末端に位置することである。よって、前記第１の電極１６は、互いに接続されて、導体２２を短絡させる。
【００２９】
図６（ａ）は本考案にかかる光源コネクタの構造を示す図である。図６（ｂ）は本考案の図６（ａ）にかかる光源コネクタが回路基板に接続された構造を示す図である。図６（ｃ）は本考案の図６（ａ）にかかる第１の電極が回路基板及び筐体に接続された構造を示す図である。図６（ａ）では、光源コネクタ３０は、同時に前述した実施例の蓋体１２と、第１の留め具１４と、第１の電極１６及び接続モジュール１８も備え、ここで説明しない。
【００３０】
図７（ａ）は本考案の図６（ａ）にかかる第１の電極と、第２の電極及び第３の電極の構造を示す図である。図７（ｂ）は本考案の図７（ａ）にかかる第３の電極が回路基板に接続された構造を示す図である。図７（ａ）では、第３の電極４０は、接続モジュール１８に接続されてもよい。前記第３の電極４０は、一端４０２が第２の電極１８６に接続され、他端４０４が回路基板８に接続されてもよい。
【００３１】
また、回路基板８を固定するために、第３の電極４０は、更にクリップ４０６を含む。本実施例において、クリップ４０６は、回路基板８を係合するためのフック形状である。
【００３２】
前述した各実施例において、外力でピックアップできるように、蓋体は操作部を更に形成してもよい。例えば、機械の掴みやすいために、前記操作部は前記蓋体の両側に形成される。
【００３３】
本考案の実施例を説明したが、実施例は、例として提示したものであり、考案の範囲を限定することは意図していない。実施例は、その他の様々な形態で実施されることが可能であり、考案の要旨を逸脱しない範囲で、種々の省略、置き換え、変更を行うことができる。実施例やその変形は、考案の範囲や要旨に含まれると同様に、特許請求の範囲に記載された考案とその均等の範囲に含まれるものである。
【符号の説明】
【００３４】
２…フレキシブルフラットケーブル
６…筐体
８…回路基板
２２…導体
１０…第１の光源コネクタ
１２…蓋体
１４…第１の留め具
１４４２…突起
１４４…弾性アーム
１６…第１の電極
１６２…一端
１６４…他端
１８…接続モジュール
１８２…パッキン
１８４…基板
１８６…第２の電極
１８６２…一端
１８６４…他端
１８８…第２の留め具
１８８２…開口
２０…第２の光源コネクタ
３０…第３の光源コネクタ
４２，４４…ＬＥＤユニット
４０…第３の電極
４０２…一端
４０４…他端
４０６…クリップ
ＢＲ…露出領域
【図１】
0003227745.tif 000003
【図２】
0003227745.tif 000004
【図３】
0003227745.tif 000005
【図４】
0003227745.tif 000006
【図５】
0003227745.tif 000007
【図６】
0003227745.tif 000008
【図７】
0003227745.tif 000009